(57)【要約】【課題】枠状の発光部と発光部の中央に設けられた電源部の取付面が同一面であっても影を生じにくい照明器具を提供する。【解決手段】器具本体２０における被取付面１１と反対側面に設けられた枠状の発光部３０Ａの発光部取付面と、発光部３０Ａの中央部に設けられた略箱状の電源部４０の電源部取付面とが、略同一面にある。電源部４０は、発光部取付面および電源部取付面に対して略平行な底板４５を有しており、この底板４５および発光部取付面および電源部取付面に対して交差する斜面４６を有する。このため、斜面４６に沿って照射される光が電源部４０により遮られないので、影を生じにくい。【選択図】図１
2014056691.tif 000002
【特許請求の範囲】
【請求項１】
被取付面に取り付けられる器具本体と、
前記器具本体における前記被取付面とは反対側の主面に設けられた略箱状の電源部と、
前記電源部の周囲に設けられた発光部と、を備え、
前記電源部の高さが前記発光部の高さよりも高く、前記主面における前記発光部が取り付けられる発光部取付面と、前記主面における前記電源部が取り付けられる電源部取付面とが略同一面に沿うとともに、前記電源部が前記主面に対して略平行な上面と、前記主面に対して交差する斜面を有する照明器具。
【請求項２】
請求項１に記載の照明器具において、
前記斜面は前記上面に対して鈍角である照明器具。
【請求項３】
請求項１または請求項２に記載の照明器具において、
前記発光部が、平面略Ｃ字形状の回路基板を複数有するとともに、前記各回路基板における長手方向端部が離間配置され、
前記斜面が前記各回路基板における長手方向端部に対応する位置に配置されている照明器具。
【発明の詳細な説明】
【技術分野】
【０００１】
本発明は、枠状の発光部からの光を下方に向けて照射する照明器具に関する。
【背景技術】
【０００２】
従来、ＬＥＤ光源を有するＬＥＤユニットを発光部に用いた照明器具が知られている（例えば、特許文献１参照）。
図７および図８に示すように、特許文献１に記載の照明器具１００は、器具取付面１０１に設置される器具本体１０２と、半導体発光素子からなる光源体１０３と、レンズ体１０４と、反射体１０５と、グローブ１０６とを有する。
【０００３】
照明器具１００は、器具本体１０２の略中央部に、天井等の器具取付面１０１に設置された引掛シーリング１０７に着脱可能に設置されるアダプタ１０８が設けられる。
照明器具１００は、器具取付面１０１に設けられた引掛シーリング１０７にアダプタ１０８を係合することにより、引掛シーリング１０７に電気的および機械的に支持されて設置される。
【０００４】
また、照明器具１００は、アダプタ１０８の周囲の空間部に、光源体１０３を点灯するための点灯装置１０９を有する。
光源体１０３は、直線状に形成されており、器具本体１０２の対向する辺の外縁部に設けられている。
また、反射体１０５は、鉄板等の金属に白色塗装を施した平板状をなし、両端部が２本の光源体１０３、光源体１０３に対向する。反射体１０５は、中間部分から器具本体１０２の略中央部に向かって連続的に徐々に傾斜させた傾斜部１１０を有する。
【０００５】
照明器具１００は、光源体１０３を点灯させることにより、レンズ体１０４により、光が略平行な方向、すなわち、反射体１０５の傾斜部１１０に向かって放射され、さらに反射体１０５で反射してグローブ１０６を内面側から照射する。
これにより、照明器具１００は、部屋全体にわたり略均一な明るさで照明する。
【先行技術文献】
【特許文献】
【０００６】
【特許文献１】特開２００８−３００２０３号公報（図１、段落００２９、００３０）
【発明の概要】
【発明が解決しようとする課題】
【０００７】
ところで、前述したような従来の照明器具において、枠状に配置された発光部の中央に電源部を配置する場合がある。
このような場合には、電源部の厚さが大きいため、発光部の取付面および電源部の取付面が同一面であると、電源部が発光部よりも大きく突出し、発光部からの光を遮って影を生じるおそれがあるという問題があった。
【０００８】
本発明は、従来の問題を解決するためになされたもので、枠状の発光部の取付面と発光部の中央に設けられた電源部の取付面とが同一面であっても、影を生じにくい照明器具を提供することを目的とする。
【課題を解決するための手段】
【０００９】
本発明の照明器具は、被取付面に取り付けられる器具本体と、前記器具本体における前記被取付面とは反対側の主面に設けられた略箱状の電源部と、前記電源部の周囲に設けられた発光部と、を備え、前記電源部の高さが前記発光部の高さよりも高く、前記主面における前記発光部が取り付けられる発光部取付面と、前記主面における前記電源部が取り付けられる電源部取付面とが略同一面に沿うとともに、前記電源部が前記主面に対して略平行な上面と、前記主面に対して交差する斜面を有するものである。
【００１０】
また、本発明の照明器具は、前記斜面は前記上面に対して鈍角であるものである。
【００１１】
さらに、本発明の照明器具は、前記発光部が、平面略Ｃ字形状の回路基板を複数有するとともに、前記各回路基板における長手方向端部が離間配置され、前記斜面が前記各回路基板における長手方向端部に対応する位置に配置されているものである。
【発明の効果】
【００１２】
本発明は、電源部が、器具本体の主面に設けられた発光部取付面および電源部取付面に対して略平行な上面を有しており、この上面および主面に対して交差する斜面を有するので、斜面に沿って照射される光が電源部により遮られない。このため、発光部取付面と電源部取付面とが略同一面にあっても、影を生じにくいという効果を有する照明器具を提供できる。
【図面の簡単な説明】
【００１３】
【図１】本発明に係る実施形態の照明器具の分解斜視図
【図２】本発明に係る実施形態の照明器具の垂直断面図
【図３】本発明に係る実施形態の照明器具のセードを通してみた底面図
【図４】電源部の垂直断面図
【図５】（Ａ）はＬ字形状の回路基板と電源部との配置を示す底面図であり、（Ｂ）はコ字形状の回路基板と電源部との配置を示す底面図
【図６】（Ａ）ないし（Ｆ）はブロックケースの変形例を示す斜視図
【図７】従来の照明器具の垂直断面図
【図８】従来の照明器具の底面図
【発明を実施するための形態】
【００１４】
以下、本発明に係る実施形態の照明器具について図面を参照して説明する。
図１および図２に示すように、本発明に係る実施形態の照明器具１０は、被取付面である例えば天井面１１に取り付けて、下方を照明するのに用いることができる。
照明器具１０は、天井面１１に取り付けられる器具本体２０を有する。
器具本体２０の下面２１（主面）の中央部の周りの周辺部には、円形枠状のＬＥＤ発光部（発光部）３０Ａが設けられており、器具本体２０の中央部であるＬＥＤ発光部３０Ａの内側には、略箱状の電源部４０が設けられている。
【００１５】
ＬＥＤ発光部３０Ａおよび電源部４０は、ともに器具本体２０の被取付面側とは反対側の面である主面（以下、下面２１という）に取り付けられている。すなわち、発光部取付面および電源部取付面は、略同一面にある。
そして、器具本体２０における照射方向（以後、「下方」という。）には、ＬＥＤ発光部３０Ａおよび電源部４０を覆うようにセード５０が取り付けられる。
【００１６】
器具本体２０は円板状を呈しており、外周縁部には照射方向と反対方向（上方）に突出した例えば円錐台形状の支持凸部２２が３個以上（ここでは、３個）設けられている。器具本体２０が天井面１１に取り付けられた状態で、支持凸部２２の上面が天井面１１に当接する。
また、器具本体２０の外周縁部には、セード５０を取り付けるためのセード支持金具２３が複数（ここでは、２個）設けられている。
【００１７】
ＬＥＤ発光部３０Ａは、平面略Ｃ字形状の回路基板３１Ａを複数有する。ここでは、略半円形状の回路基板３１Ａを２個配置して、全体として円形枠状を形成している。各回路基板３１Ａには、複数のＬＥＤ３２が適宜に配置されている。
また、両回路基板３１Ａは、長手方向端部が離間配置されており、隣接する端部間には、隙間３３が設けられている。
【００１８】
ＬＥＤ発光部３０Ａは、回路基板３１Ａの照射方向に透光性のカバー３４（以下、レンズ３４という）を有する。本実施形態では、カバーとして配光を広くするレンズ機能を有するレンズ３４を用いたが、これに限らず、レンズ機能を有していない透光性のカバーでもよく、また、カバー表面に凹凸加工等を施した拡散機能を有するカバーを用いてもよい。
レンズ３４は回路基板３１Ａの円形枠状に対応したリング状に設けられており、外周から外側に突出する取付凸部３５および内周から内側に突出する取付凸部３５を、器具本体２０にねじ止めして固定される。
【００１９】
電源部４０は天井面１１の裏側から配線される電源線（図示省略）に接続して、各回路基板３１Ａに電力を供給する。
電源部は、円形枠状の回路基板３１Ａの中央部において、器具本体２０の下面２１に取り付けられる矩形枠状のベースプレート４１と、ベースプレート４１に下方から被せるブロックケース４２Ａを有する。また、保護用のブロックケース４２Ａを含む電源部の高さは発光部の存在する高さの位置よりも高く設けられている。
【００２０】
ベースプレート４１には、例えば、電源線から供給された商用交流電流を直流電源に変換して回路基板３１Ａに供給するためのインバータ等の電気部品４３を内蔵している。
ベースプレート４１は、四辺から下方に向かって立ち上げられた取付片４１１を有しており、この取付片４１１にブロックケース４２Ａを外嵌して、ねじ（図示省略）等で取り付けて箱状に形成される。
【００２１】
図４にも示すように、ブロックケース４２Ａは、上方が開口した箱状を呈しており、ベースプレート４１に対して略垂直な側板４４と、発光部取付面であるとともに電源部取付面である器具本体２０の下面２１に略平行な底板（上面）４５を有する。
ブロックケース４２Ａにおける短辺側の側板４４１の底板４５側には、器具本体２０の下面２１に対して交差する斜面４６を有する。斜面４６の底板４５に対する交差角度θは鈍角であり、ブロックケース４２Ａは下方に向かって尖った形状となる（図４参照）。
電源部４０において斜面４６を有する側、すなわちブロックケース４２Ａの短辺は、回路基板３１Ａ間に設けられている隙間３３に対向している。
【００２２】
図２および図３に示すように、セード５０は、例えば透光性を有する乳白色の樹脂製であって、上方が開口し（開口５１）、中央部が下方に膨らんだ円形をしている。
セード５０の開口５１には、複数（ここでは、２個）の係止部５２が、開口５１の内側に向かって突設されている（図３参照）。
従って、セード５０を器具本体２０に取り付ける場合には、セード５０を器具本体２０に対して回転させ、セード５０の係止部５２を、器具本体２０のセード支持金具２３で係止することにより取り付ける。
また、セード５０を器具本体２０から取り外す際には、セード５０を器具本体２０に対して回転させ、セード５０の係止部５２を、器具本体２０のセード支持金具２３から外す。
【００２３】
本発明の照明器具の作用効果について説明する。
器具本体２０における天井面１１と反対側面である下面２１に設けられた枠状のＬＥＤ発光部３０Ａの発光部取付面と、ＬＥＤ発光部３０Ａの中央部に設けられた略箱状の電源部４０の電源部取付面とが、略同一面にある。
電源部４０は、発光部取付面および電源部取付面に対して略平行な底板４５を有しており、この底板４５および発光部取付面および電源部取付面に対して交差する斜面４６を有する。
このため、斜面４６に沿って照射される光が電源部４０により遮られないので、セード５０に影を生じにくい。
また、照射された光が、斜面４６に当たって下方へ反射するので、セード５０に影を生じにくい。
【００２４】
また、斜面４６は前記底板４５に対して鈍角（θ）なので、傾斜が緩やかであり、傾斜に当たった光が照射方向へ反射する。
このため、セード５０に電源部４０による影が生じにくい。
【００２５】
さらに、ＬＥＤ発光部３０Ａは、平面略Ｃ字形状の回路基板３１Ａを複数有するが、各回路基板３１Ａにおける長手方向端部が離れて配置されている。
回路基板３１Ａ間の隙間３３には元々発光するものがないので、電源部４０の斜面４６を隙間３３に向けて配置するので、影が形成されない。
【００２６】
本発明の照明器具は、前述した実施形態に限定されるものでなく、適宜な変形、改良等が可能である。
なお、前述した実施形態に係る照明器具１０と共通する部位には同じ符号を付して、重複する説明を省略することとする。
例えば、前述した実施形態においては、枠状のＬＥＤ発光部３０Ａとして円形枠状の場合を例示したが、本発明は矩形枠状の発光部にも適用可能である。
すなわち、図５（Ａ）に示すように、一対のＬ字形状の回路基板３１Ｂを組み合わせて矩形枠状のＬＥＤ発光部３０Ｂを形成することができる。この場合、両回路基板３１Ｂ間に隙間３３を設け、電源部４０の斜面４６を隙間３３に向けて配置する。
あるいは、図５（Ｂ）に示すように、一対のコ字形状の回路基板３１Ｃを組み合わせて矩形枠状のＬＥＤ発光部３０Ｃを形成することができる。この場合、両回路基板３１Ｃ間に隙間３３を設け、電源部４０の斜面４６を隙間３３に向けて配置する。
【００２７】
また、前述した実施形態におけるブロックケース４２Ａでは、斜面４６が短辺側の側板４４１の下端から底板４５にかけて設けられていたが、ブロックケースの形状は、前述したものに限定されない。
ブロックケースの形状は、斜面４６の底板４５に対する交差角度θが鈍角であり、下方に向かって尖った形状のものであれば良い。以下に、代表的な変形例を示す。
【００２８】
図６（Ａ）ないし（Ｆ）には、電源部４０のブロックケース４２Ａの形状の変形例が示されている。なお、形状をわかりやすく表示するため、底板４５側を上にして斜視図を示している。
図６（Ａ）に示すブロックケース４２Ｂでは、短辺方向の側板４４１は設けられず、短辺側面全体が斜面４６となっている。
図６（Ｂ）に示すブロックケース４２Ｃでは、四辺の側板４４の途中高さ位置から４面の斜面４６が設けられている。
図６（Ｃ）に示すブロックケース４２Ｄでは、四辺の側板４４全てが斜面４６となっている。
図６（Ｄ）に示すブロックケース４２Ｅでは、全体が半球状であり、全体が斜面４６であって、側板４４および底板４５の区別が明確ではない。
図６（Ｅ）に示すブロックケース４２Ｆでは、全体が円錐台形状であり、円形の底板４５を有する。
図６（Ｆ）に示すブロックケース４２Ｇでは、全体が蒲鉾形状の斜面４６を有しており、側板４４および底板４５の区別が明確ではない。
【符号の説明】
【００２９】
１０  照明器具
１１  天井面（被取付面）
２０  器具本体
２１  下面（主面に設けられた発光部取付面、電源部取付面）
３０Ａ、３０Ｂ、３０Ｃ  発光部
３１Ａ、３１Ｂ、３１Ｃ  回路基板
４０  電源部
４５  底板（上面）
４６  斜面
【図１】
2014056691.tif 000003
【図２】
2014056691.tif 000004
【図３】
2014056691.tif 000005
【図４】
2014056691.tif 000006
【図５】
2014056691.tif 000007
【図６】
2014056691.tif 000008
【図７】
2014056691.tif 000009
【図８】
2014056691.tif 000010